(57)【要約】【課題】投影型の表示装置において、より明るい投影像を得ること。【解決手段】照明光を出射する照明装置１１を、自らの出射面から出射する出射光の主光軸と垂直な面における２つの各々垂直な方向である第１の方向と第２の方向で、第１の方向が第２の方向よりＮＡが大きいように構成し、また、光変調素子であるＤＭＤ（商標）１３を、自らの入射面に入射する入射光の主光軸と垂直な面における２つの各々垂直な方向であるＸ，Ｙ方向で、Ｘ方向よりＹ方向で大きなＮＡの入射光を光変調可能なように構成し、そのようなＤＭＤ（商標）１３の前記Ｘ方向に、前記第２の方向が対応するように前記照明装置１１を配置する。【選択図】    図１
2004252205.tif 000002
【特許請求の範囲】
【請求項１】
自らの出射面から出射する出射光の主光軸と垂直な面における２つの各々垂直な方向である第１の方向と第２の方向で、前記第１の方向が前記第２の方向よりＮＡが大きい異方性照明手段と、
自らの入射面に入射する入射光の主光軸と垂直な面における２つの各々垂直な方向であるＸ，Ｙ方向で、前記Ｘ方向より前記Ｙ方向で大きなＮＡの入射光を光変調可能な光変調素子と、
を備え、
前記異方性照明手段は、前記光変調素子の前記Ｘ方向に前記第２の方向が対応するように配置したことを特徴とする表示装置。
【請求項２】
前記光変調素子は、少なくとも１つのミラーを所定の偏向方向に偏向することで前記異方性光学手段が出射した照明光を光変調をするミラーデバイスであることを特徴とする請求項１に記載の表示装置。
【請求項３】
前記異方性照明手段は、拡散光を発光する発光体を複数備え、
該発光体は、前記第２の方向よりも前記第１の方向に多数配置されている、
ことを特徴とする請求項１に記載の表示装置。
【請求項４】
前記異方性照明手段は、少なくとも異方性光学素子を含むことを特徴とする請求項１に記載の表示装置。
【請求項５】
前記異方性照明手段は、レンズ或いは凹面反射鏡によって前記光変調素子を前記異方性光学素子の出射光により照明する照明光学系を更に含み、
該照明光学系は、その焦点位置に前記光変調素子を配置したケーラー照明光学方式である、
ことを特徴とする請求項４に記載の表示装置。
【請求項６】
前記異方性照明手段は、レンズ或いは凹面反射鏡によって前記光変調素子を前記異方性光学素子の出射光により照明する照明光学系を更に含み、
該照明光学系は、前記光変調素子と結像関係にある位置近傍に前記異方性光学素子の出射面を配置したクリティカル照明光学方式である、
ことを特徴とする請求項４に記載の表示装置。
【請求項７】
前記異方性光学素子は、
拡散光を発光する半導体発光素子と、
前記第１の方向より前記第２の方向で集光力の強い異方形状レンズと、
からなることを特徴とする請求項６に記載の表示装置。
【請求項８】
前記異方性光学素子は、前記第１の方向より前記第２の方向で出射断面が小さい異方形状の反射鏡であることことを特徴とする請求項６に記載の表示装置。
【請求項９】
前記異方性光学素子は、前記第１の方向より前記第２の方向で出射断面が小さいマスク手段であることを特徴とする請求項６に記載の表示装置。
【請求項１０】
前記異方性光学素子は、入射端長さと出射端長さの長さ比が前記第１の方向より前記第２の方向の方が大きいテーパ光学素子であることを特徴とする請求項６に記載の表示装置。
【請求項１１】
前記異方性光学素子は、出射端の長さが前記第１の方向より前記第２の方向で、短いテーパ光学素子であることを特徴とする請求項５に記載の表示装置。
【請求項１２】
前記異方性光学素子は、複数の微小レンズをマトリックス状に配列したフライアイレンズを有し、
該フライアイレンズは、前記第１の方向より前記第２の方向で少ない微小レンズを備えている、
ことを特徴とする請求項５に記載の表示装置。
【請求項１３】
前記異方性光学素子は、複数の微小レンズをマトリックス状に配列したフライアイレンズを有し、
該フライアレンズは、前記第２の方向より前記第１の方向で前記出射光の主光軸に対して距離の離れた位置に微小レンズを備えている、
ことを特徴とする請求項５に記載の表示装置。
【請求項１４】
前記異方性光学素子は、
拡散する光を入射して集光するレンズである、或いは、偏心、球面、及び放物面の何れかを含むパワーを持った反射鏡であって、
前記第１の方向より前記第２の方向で小さいサイズの形状である、
ことを特徴とする請求項４に記載の表示装置。
【請求項１５】
前記光変調素子から出射する光を投影光として拡大投影する投影光学系を更に備え、
前記投影光学系の形状は、前記投影光のＸ方向よりＹ方向に対応した形状を長くした、
ことを特徴とする請求項１乃至１４の何れかに記載の表示装置。
【請求項１６】
前記投影光学系の形状は、楕円形状であることを特徴とする請求項１５に記載の表示装置。
【請求項１７】
前記投影光学系は、非投影時に回動可能にしたことを特徴とする請求項１５に記載の表示装置。
【請求項１８】
前記光変調素子と前記異方性照明手段とを保持する筐体と、
該筐体を載置する際に安定に保つための載置安定化手段と、
を更に備え、
前記光変調素子の変調領域が四角形であって、該四角形の長辺と短辺の何れかの方向と前記Ｙ方向とが所定の傾斜をなしている場合に、前記載置安定化手段は、前記筐体の姿勢を前記所定の傾斜に相応しい角度分変更できることを特徴とする請求項１乃至１４の何れかに記載の表示装置。
【請求項１９】
請求項１乃至１４の何れかに記載の表示装置に搭載可能な照明装置において、
拡散光を発する光源手段と、
前記拡散光に対し、自らが出射する光の主光軸と垂直な面における２つの各々垂直な方向である前記第１の方向と前記第２の方向のＮＡが異なるようにＮＡ変換を行う異方ＮＡ変換光学素子と、
を有することを特徴とする照明装置。
【発明の詳細な説明】
【０００１】
【発明の属する技術分野】
本発明は、光変調素子に入射する照明光を生成する照明装置、及びそのような光変調素子からの出射光を投影光学系によって投影する表示装置に関する。
【０００２】
【従来の技術】
従来、投影型の表示装置の光変調素子には、透過液晶、反射液晶、ＤＭＤ（（デジタルマイクロミラーデバイス）の商標で知られる鏡面偏向型光変調器。このＤＭＤ（商標）の詳細については、例えば、特許文献１の段落［００２６］や特許文献２の第５頁第２３行目乃至第６頁第６行目を参照。）等のミラーデバイス、などが使用され、そのような光変調素子を照明する照明装置の光源には、高圧水銀ランプなどが使われている。
【０００３】
その中でも、ＤＭＤ（商標）等のミラーデバイスを使用した表示装置は、１枚のＤＭＤ（商標）でカラー画像を投影する上で小型化可能であることから、近年、急速に増えてきている。
【０００４】
そのＤＭＤ（商標）を使用した従来の表示装置の構成を、図１１の（Ａ）及び（Ｂ）に示す。即ち、従来の表示装置は、ランプ１、楕円リフレクタ２、インテグレータロッド３、照明レンズ４、などの各種ＮＡ変換可能な光学素子と、ＤＭＤ（商標）５、投影レンズ６、及び図示しないスクリーンで構成される。これは、楕円リフレクタ２の第１の焦点位置にランプ１を配置し、楕円リフレクタ２の第２の焦点にインテグレータロッド３の入射端を配置したものである。更に、インテグレータロッド３の出射端で均一化した拡散面を形成し、照明レンズ４によりＤＭＤ（商標）５の変調面に前記拡散面が結像するようにしたものである。
【０００５】
図１１の（Ｂ）では、ＤＭＤ（商標）５のミラー５Ａへの入射光の入射最大光線角度を入射ＮＡと表記するものとし、Ｘ方向のＮＡをθｘとし、Ｙ方向のＮＡをθｙとして、その関係を示している。
【０００６】
図１１の（Ａ）に示す表示装置の構成において、楕円リフレクタ２、インテグレータロッド３、照明レンズ４の各ＮＡ変換可能な光学素子は、該光学素子の主光軸を１つの軸上に配置して、該軸とそれに垂直で各々が垂直な２つの方向で同一構造、形状としている。それによって、図１１の（Ｂ）で説明したＸ方向とＹ方向とで入射ＮＡは、θｘ＝θｙとなっている。
【０００７】
このように、楕円リフレクタ２、インテグレータロッド３、照明レンズ４などに加え、配光特性の異方設計可能なランプ１などの光源も含めた光学要素は、Ｘ―Ｙ面方向に対応した方向において、０度の際の形状と９０度回転させた形状とが異ならない形状で構成するようにしていた。
【０００８】
また、インテグレータロッド３に代えて、図１１の（Ｃ）に示すように、複数のコンデンサレンズ及び平面ミラーにより光路を曲げて、ＤＭＤ（商標）５へ照明光を導くようにした照明装置を使用した表示装置も知られている（特許文献３参照）。
【０００９】
【特許文献１】
特開平１１−３２２７８号公報
【００１０】
【特許文献２】
国際公開第ＷＯ９８／２９７７３号公報
【００１１】
【特許文献３】
特許第３１２１８４３号公報
【００１２】
【発明が解決しようとする課題】
上述したように従来の表示装置の構成では、例えば、図１１の（Ａ）及び（Ｂ）で示したランプ１、楕円リフレクタ２、インテグレータロッド３、照明レンズ４、などの各種ＮＡ変換可能な光学要素が、該光学素子の主光軸を１つの軸上に配置して、該軸とそれに垂直な面上で各々が垂直な２つの方向で同一構造、形状であるようにしていた。この意味は、主光軸を中心に所定の角度の際の形状とそれを９０度回転させた形状とが同一であることを意味する。
【００１３】
そのために、図１１の（Ａ）及び（Ｂ）で示すように、ＤＭＤ（商標）に入射する光の前記入射ＮＡは、前記２つの方向で同じ大きさとなる。
【００１４】
同様に、図１１の（Ｃ）に示すような表示装置の構成では、ＤＭＤ（商標）５に照明する照明装置を構成する各ＮＡ変換可能な光学素子は、前記２つの方向で同一形状で記載され、各主光軸を中心とした点対称な形状、主に円形、正方形で構成されている。
【００１５】
また、ＤＭＤ（商標）５などのミラー５Ａに入射する照明光がミラー５Ａで反射した出射光は、ミラー５Ａの偏向によって、図１１の（Ｄ）及び（Ｅ）に示すように、オン光とオフ光の２つの光路に切り替えられるが、そのオン光は、オフ光と分離可能にし、且つ、ＤＭＤ（商標）５に集光させるための前記光学素子に照射するなどオン光が遮られないようにすることが、明るく、コントラストの高い投影像を得るのに好ましい。
【００１６】
そのために、ＤＭＤ（商標）５などのミラー５Ａに入射する光は、ミラー５Ａの偏向方向における前記入射ＮＡを制限する必要が生じる。
【００１７】
即ち、ＤＭＤ（商標）５などのミラーデバイスのミラー５Ａに入射する光の前記入射ＮＡは、前記２つの方向で同じ大きさであることと、ミラー５Ａの偏向方向における前記制限とによって、投影に関わる照明光量が限定され、明るくできないという課題があった。
【００１８】
本発明は、上記の点に鑑みてなされたもので、このように投影に関わる照明光量が制限され、明るい投影表示ができないという課題に着目しそれを解決し、より明るい投影像を得ることができる照明装置、及び、その照明装置を搭載した表示装置を提供することを目的とする。
【００１９】
【課題を解決するための手段】
上記の目的を達成するために、請求項１に記載の発明による表示装置は、
自らの出射面から出射する出射光の主光軸と垂直な面における２つの各々垂直な方向である第１の方向と第２の方向で、前記第１の方向が前記第２の方向よりＮＡが大きい異方性照明手段と、
自らの入射面に入射する入射光の主光軸と垂直な面における２つの各々垂直な方向であるＸ，Ｙ方向で、前記Ｘ方向より前記Ｙ方向で大きなＮＡの入射光を光変調可能な光変調素子（ＤＭＤ（商標）など）と、
を備え、
前記異方性照明手段は、前記光変調素子の前記Ｘ方向に前記第２の方向が（前記Ｙ方向に前記第１の方向が）対応するように配置したことを特徴とする。
【００２０】
この構成は、図１乃至図７に対応するものである。
即ち、請求項１に記載の発明の表示装置によれば、従来の装置と比較して、光変調素子のＹ方向に、より多くのＮＡを入射可能となり、より明るい表示を得ることができる。
また、目標の明るさが得られる光源の場合には、光量を下げても同じ明るさの表示を得ることができ、高効率に、より低消費、熱の発生の防止などが得られる。
【００２１】
また、請求項２に記載の発明による表示装置は、請求項１に記載の発明による表示装置において、前記光変調素子は、少なくとも１つのミラーを所定の偏向方向に偏向することで前記異方性光学手段が出射した照明光を光変調をするミラーデバイス（ＤＭＤ（商標）など）であることを特徴とする。
【００２２】
この構成は、図１の（Ａ）乃至（Ｄ）に対応するものである。
即ち、請求項２に記載の発明の表示装置によれば、前述の請求項１に記載の発明の表示装置の効果に加えて、前記光変調素子がＤＭＤ（商標）などのミラーデバイスであるので、小型化が可能であるという効果を有する。
【００２３】
また、請求項３に記載の発明による表示装置は、請求項１に記載の発明による表示装置において、
前記異方性照明手段は、拡散光を発光する発光体を複数備え、
該発光体は、前記第２の方向よりも前記第１の方向に多数配置されている、
ことを特徴とする。
【００２４】
この構成は、図７に対応するものである。
即ち、請求項３に記載の発明の表示装置によれば、前述の請求項１に記載の発明の表示装置の効果に加えて、第２の方向より第１の方向に多数の発光体を配置することで、更に、明るい表示を得ることができる。また、ＮＡが小さい場合には、発光体の多数配置は、必ずしも有効に光を利用できないが、Ｙ方向により大きなＮＡを許容できるために、発光体の複数は配置であっても効率良い表示が得られる。
【００２５】
また、請求項４に記載の発明による表示装置は、請求項１に記載の発明による表示装置において、前記異方性照明手段は、少なくとも異方性光学素子を含むことを特徴とする。
【００２６】
この構成は、図１の（Ｅ）乃至（Ｇ）、及び、図２乃至図５に対応するものである。
即ち、請求項４に記載の発明の表示装置によれば、前述の請求項１に記載の発明の表示装置の効果に加えて、異方性光学素子によって第１の方向と第２の方向で異なった出射光を光変調素子にＮＡを異ならせて入射することができる。
【００２７】
また、請求項５に記載の発明による表示装置は、請求項４に記載の発明による表示装置において、
前記異方性照明手段は、レンズ或いは凹面反射鏡によって前記光変調素子を前記異方性光学素子の出射光により照明する照明光学系を更に含み、
該照明光学系は、その焦点位置に前記光変調素子を配置したケーラー照明光学方式である、
ことを特徴とする。
【００２８】
この構成は、図２及び図４に対応するものである。
即ち、請求項５に記載の発明の表示装置によれば、前述の請求項４に記載の発明の表示装置の効果に加えて、異方性光学素子によって第１の方向と第２の方向で異なった位置で出射された光を光変調素子にＮＡを異ならせて入射することができる。
【００２９】
また、請求項６に記載の発明による表示装置は、請求項４に記載の発明による表示装置において、
前記異方性照明手段は、レンズ或いは凹面反射鏡によって前記光変調素子を前記異方性光学素子の出射光により照明する照明光学系を更に含み、
該照明光学系は、前記光変調素子と結像関係にある位置近傍に前記異方性光学素子の出射面を配置したクリティカル照明光学方式である、
ことを特徴とする。
【００３０】
この構成は、図１の（Ｅ）乃至（Ｇ）、図３、及び図５に対応するものである。
即ち、請求項６に記載の発明の表示装置によれば、前述の請求項４に記載の発明の表示装置の効果に加えて、異方性光学素子によって第１の方向と第２の方向で異なったＮＡで出射された光を光変調素子にＮＡを異ならせて入射することができる。
【００３１】
また、請求項７に記載の発明による表示装置は、請求項６に記載の発明による表示装置において、
前記異方性光学素子は、
拡散光を発光する半導体発光素子（ＬＥＤ）と、
前記第１の方向より前記第２の方向で集光力の強い異方形状レンズと、
からなることを特徴とする。
【００３２】
この構成は、図５に対応するものである。
即ち、請求項７に記載の発明の表示装置によれば、前述の請求項６に記載の発明の表示装置の効果に加えて、例えば、このような異方形状レンズ付ＬＥＤを使用することで、簡単な構成で明るい表示が得られる。
【００３３】
また、請求項８に記載の発明による表示装置は、請求項６に記載の発明による表示装置において、前記異方性光学素子は、前記第１の方向より前記第２の方向で出射断面が小さい異方形状の反射鏡であることことを特徴とする。
【００３４】
この構成は、図１の（Ｅ）乃至（Ｇ）に対応するものである。
即ち、請求項８に記載の発明の表示装置によれば、前述の請求項６に記載の発明の表示装置の効果に加えて、異方形状の反射鏡により、簡単な構成で明るい表示が得られる。なお、特開平８−２８６２７４号公報に開示されているような二軸回転楕円面鏡であっても良い。
【００３５】
また、請求項９に記載の発明による表示装置は、請求項６に記載の発明による表示装置において、前記異方性光学素子は、前記第１の方向より前記第２の方向で出射断面が小さいマスク手段であることを特徴とする。
【００３６】
この構成は、図１の（Ｅ）乃至（Ｇ）、及び図６に対応するものである。
即ち、請求項９に記載の発明の表示装置によれば、前述の請求項６に記載の発明の表示装置の効果に加えて、異方性マスクにより、簡単な構成で明るい表示が得られる。
【００３７】
また、請求項１０に記載の発明による表示装置は、請求項６に記載の発明による表示装置において、前記異方性光学素子は、入射端長さと出射端長さの長さ比が前記第１の方向より前記第２の方向の方が大きいテーパ光学素子（異方性テーパパイプ又はロッド）であることを特徴とする。
【００３８】
この構成は、図３に対応するものである。
即ち、請求項１０に記載の発明の表示装置によれば、前述の請求項６に記載の発明の表示装置の効果に加えて、テーパ光学素子により、簡単な構成で明るい表示が得られる。
【００３９】
また、請求項１１に記載の発明による表示装置は、請求項５に記載の発明による表示装置において、前記異方性光学素子は、出射端の長さが前記第１の方向より前記第２の方向で、短いテーパ光学素子（異方性テーパパイプ又はロッド）であることを特徴とする。
【００４０】
この構成は、図４に対応するものである。
即ち、請求項１１に記載の発明の表示装置によれば、前述の請求項５に記載の発明の表示装置の効果に加えて、テーパ光学素子により、簡単な構成で明るい表示が得られる。
【００４１】
また、請求項１２に記載の発明による表示装置は、請求項５に記載の発明による表示装置において、
前記異方性光学素子は、複数の微小レンズをマトリックス状に配列したフライアイレンズを有し、
該フライアイレンズは、前記第１の方向より前記第２の方向で少ない微小レンズを備えている、
ことを特徴とする。
【００４２】
この構成は、図２に対応するものである。
即ち、請求項１２に記載の発明の表示装置によれば、前述の請求項５に記載の発明の表示装置の効果に加えて、フライアイレンズにより、簡単な構成で明るい表示が得られる。
【００４３】
また、請求項１３に記載の発明による表示装置は、請求項５に記載の発明による表示装置において、
前記異方性光学素子は、複数の微小レンズをマトリックス状に配列したフライアイレンズを有し、
該フライアレンズは、前記第２の方向より前記第１の方向で前記出射光の主光軸に対して距離の離れた位置に微小レンズを備えている、
ことを特徴とする。
【００４４】
この構成は、図２に対応するものである。
即ち、請求項１３に記載の発明の表示装置によれば、前述の請求項５に記載の発明の表示装置の効果に加えて、フライアイレンズにより、簡単な構成で明るい表示が得られる。
【００４５】
また、請求項１４に記載の発明による表示装置は、請求項４に記載の発明による表示装置において、
前記異方性光学素子は、
拡散する光を入射して集光するレンズである、或いは、偏心、球面、及び放物面の何れかを含むパワーを持った反射鏡であって、
前記第１の方向より前記第２の方向で小さいサイズの形状である、
ことを特徴とする。
【００４６】
この構成は、図６に対応するものである。
即ち、請求項１４に記載の発明の表示装置によれば、前述の請求項４に記載の発明の表示装置の効果に加えて、前記照明光学系により、簡単な構成で明るい表示が得られる。
【００４７】
また、請求項１５に記載の発明による表示装置は、請求項１乃至１４の何れかに記載の発明による表示装置において、
前記光変調素子から出射する光を投影光として拡大投影する投影光学系を更に備え、
前記投影光学系の形状は、前記投影光のＸ方向よりＹ方向に対応した形状を長くした、
ことを特徴とする。
【００４８】
この構成は、図１０の（Ａ）乃至（Ｃ）に対応するものである。
即ち、請求項１５に記載の発明の表示装置によれば、前述の請求項１乃至１４の何れかに記載の発明の表示装置の効果に加えて、前記投影光学系を小型・軽量にすることができる。
【００４９】
また、請求項１６に記載の発明による表示装置は、請求項１５に記載の発明による表示装置において、前記投影光学系の形状は、楕円形状であることを特徴とする。
【００５０】
この構成は、図１０の（Ａ）乃至（Ｃ）に対応するものである。
即ち、請求項１６に記載の発明の表示装置によれば、前述の請求項１５に記載の発明の表示装置の効果に加えて、光学系を楕円形状とすることで角が無いので、操作者における安全性を向上させることができる。
【００５１】
また、請求項１７に記載の発明による表示装置は、請求項１５に記載の発明による表示装置において、前記投影光学系は、非投影時に回動可能にしたことを特徴とする。
【００５２】
この構成は、図１０の（Ａ）乃至（Ｃ）に対応するものである。
即ち、請求項１７に記載の発明の表示装置によれば、前述の請求項１５に記載の発明の表示装置の効果に加えて、非投影時に投影光学系の筐体からのはみ出しなどを無くすことができ、携帯時や保管時などに良好である。
【００５３】
また、請求項１８に記載の発明による表示装置は、請求項１乃至１４の何れかに記載の発明による表示装置において、
前記光変調素子と前記異方性照明手段とを保持する筐体と、
該筐体を載置する際に安定に保つための載置安定化手段と、
を更に備え、
前記光変調素子の変調領域が四角形であって、該四角形の長辺と短辺の何れかの方向と前記Ｙ方向とが所定の傾斜をなしている場合に、前記載置安定化手段は、前記筐体の姿勢を前記所定の傾斜に相応しい角度分変更できることを特徴とする。
【００５４】
この構成は、図１０の（Ｄ）乃至（Ｆ）に対応するものである。
即ち、請求項１８に記載の発明の表示装置によれば、前述の請求項１乃至１４に記載の発明の表示装置の効果に加えて、非投影時に小さく収めることができ、携帯時や保管時に良好な形態となる。
【００５５】
また、上記の目的を達成するために、請求項１９に記載の発明による照明装置は、
請求項１乃至１４の何れかに記載の表示装置に搭載可能な照明装置において、
拡散光を発する光源手段と、
前記拡散光に対し、自らが出射する光の主光軸と垂直な面における２つの各々垂直な方向である前記第１の方向と前記第２の方向のＮＡが異なるようにＮＡ変換を行う異方ＮＡ変換光学素子と、
を有することを特徴とする。
【００５６】
この構成は、図１の（Ｅ）乃至（Ｇ）、及び、図２乃至図６に対応するものである。
即ち、請求項１９に記載の発明の照明装置によれば、前述の請求項１乃至１４に記載の発明の表示装置を構成するのに使用でき、それによって構成された表示装置は前述の請求項１乃至１４に記載の発明の表示装置の効果を得ることができる。
【００５７】
【発明の実施の形態】
本発明の実施の形態を詳細に説明する前に、本発明の理解を助けるために、まず、本明細書で使用する用語について説明しておく。
【００５８】
「ミラーデバイス」
ミラーの偏向を制御可能にするデバイスをミラーデバイスとし、少なくとも１枚のミラーと該ミラーの偏向を駆動する際の基板と駆動軸とからなる。
このミラーデバイスは、ミラーへの入射光が反射して出射する際に、該ミラーの偏向制御でオン状態にした際のオン光とオフ状態にした際のオフ光の２つの光路に分離可能にしたものである。
表示装置は、その偏向を制御し、所定の時間内におけるオン状態とオフ状態の各々の時間比を、入力するデータ値に応じて調整制御して、更に、オン光をスクリーンなどに投影レンズにより拡大投影することで、観察者が前記データに相応しいスクリーン面の光の階調を認識するもので、ミラーが複数マトリクス状に配置したミラーデバイスとして知られているＤＭＤ（商標）である際に、前記スクリーン面に画像が投影することができる。
【００５９】
「オン光」と「オフ光」
図１１の（Ｄ）、図１１の（Ｅ）には、従来の照明装置の照明方法を示し、ミラーへの入射光と出射光におけるオン光とオフ光の関係を示す。
図１の（Ｃ）では、以下の発明の実施の形態で説明する照明装置が形成する照明光のミラーへの入射光束の形状を示すもので、更に、ミラーからの出射光であるオン光とオフ光の形状、光路を示している。
【００６０】
「光束」
所定の強度以上の光線の束を示す。
【００６１】
「最大光線角度」
所定のポイントに入射、或いは出射する光束において、その中心軸に対して最大の角度を有した光線の角度を示す。最大光線角度とは、前記中心軸に垂直な面の３６０度全方向毎にそれぞれ値を有する。
【００６２】
「ＮＡ」
最大光線角度θに対してＳＩＮθ＝ＮＡ。
【００６３】
「Ｘ方向」，「Ｙ方向」，「Ｚ方向」
光変調素子の入射面に入射する入射光の主光軸方向をＺ方向とし、それと垂直な面における２つの各々垂直な方向をＸ方向及びＹ方向とする。ここで、偏向する方向をＸ方向とする。
【００６４】
以下の発明の実施の形態では、図１の（Ｃ）で示すような、照明装置が出射しミラーに入射する光束が、Ｘ方向とＹ方向とで異なった最大入射角度となる光学素子の構造と配置を示す構成の照明装置、或いは、照明方法を示す。
【００６５】
「ＮＡ変換可能な光学素子」
照明装置を構成するＮＡ変換可能な光学素子とは、放物面リフレクタ、楕円リフレクタなどのパワーを持った反射鏡や、コンデンサレンズなどのレンズ、ガラスロッドやパイプのテーパ光学素子、光の光路を制限する遮光板、遮光マスク、更には、拡散光の配光、即ち、出射ＮＡを制御可能なプリズムシートや砲弾型レンズなどの光学部材を備えた光源などを含める。
【００６６】
「第１の方向」と「第２の方向」
ＮＡ変換可能な光学素子毎に相対的に定義する方向を示す用語。
光学素子の主光軸と垂直な平面において各々垂直な第１の方向と第２の方向であって、前記光学素子のＮＡ変換が第１の方向と第２の方向とで異なる方向を指し、前記第１の方向より前記第２の方向の方がＮＡを狭くする変換能力が高く、均一な拡散光を入射した際には、結果として、第２の方向の方が小さい最大配光角の光束を出射するものである。
ここで、１種類の光学素子に対して、第１の方向と第２の方向は、１組に限定するものではなく、複数あっても良い。
【００６７】
以下、本発明の実施の形態を図面を参照して説明する。
【００６８】
［第１の実施の形態］
図１の（Ａ）及び（Ｂ）はそれぞれ、本発明の第１の実施の形態に係る照明装置を使用した表示装置の構成例を示す図である。
【００６９】
ここで、図１の（Ａ）では、照明装置１１からの照明光を、ＴＩＲ（Ｔｏｔａｌ  Ｉｎｔｅｒｎａｌ  Ｒｅｆｌｅｃｔｉｏｎ）プリズム１２を介して、光変調素子としてのミラーデバイス、例えばＤＭＤ（商標）１３に照明するようにした表示装置の光学構成例を示している。即ち、この表示装置では、ＴＩＲプリズム１２を使って照明光と、ＤＭＤ（商標）１３からのオン光・オフ光とを分離した例であり、オン光を投影光学系１４によって不図示のスクリーンに投影するようになっている。
【００７０】
また、図１の（Ｂ）では、照明光を直接ＤＭＤ（商標）の法線方向から入射するようにした表示装置の光学構成例を示している。即ち、この表示装置では、照明装置１１が持つ不図示の照明光学系からの照明光をＤＭＤ（商標）１３に照射し、ＤＭＤ（商標）１３からのオン光を投影光学系１４によって不図示のスクリーンに投影する。
【００７１】
そして、照明光を出射する照明装置１１は、本第１の実施の形態においては、自らの出射面から出射する出射光の主光軸と垂直な面における２つの各々垂直な方向である第１の方向と第２の方向で、第１の方向が第２の方向よりＮＡが大きい異方性照明手段として機能するように構成されている。また、光変調素子である前記ＤＭＤ（商標）１３は、自らの入射面に入射する入射光の主光軸と垂直な面における２つの各々垂直な方向であるＸ，Ｙ方向で、各ミラーの偏向方向に相当するＸ方向よりＹ方向で大きなＮＡの入射光を光変調可能なように構成されている。そして、そのような照明装置１１は、そのようなＤＭＤ（商標）１３の前記Ｘ方向に、前記第２の方向が対応するように配置されている。
【００７２】
即ち、前述したように従来の表示装置においては、図１１の（Ｅ）に示すように入射ＮＡがＸ，Ｙ共に同じ（Ｌｘ＝Ｌｙ）であったが、本第１の実施の形態においては、図１の（Ｃ）に示すように、図１１の（Ｅ）の照明と比べ、Ｙ方向に入射ＮＡを広げた照明光とその出射光であるオン光及びオフ光となるように構成しているものである（Ｌｘ＜Ｌｙ）。
【００７３】
勿論、図１の（Ｃ）に示すような光束の断面形状が楕円に限定されるものではなく、Ｘより長いＹ方向の形状（Ｌｘ＜Ｌｙ）であれば、例えば、図１の（Ｄ）に示すように、光束の断面が長方形となるようにしても良い。
【００７４】
このような本発明の第１の実施の形態によれば、従来の装置と比較して、光変調素子であるＤＭＤ（商標）１３のＹ方向に、より多くのＮＡを入射可能となり、より明るい表示を得ることができる。
【００７５】
また、目標の明るさが得られる光源の場合には、光量を下げても同じ明るさの表示を得ることができ、高効率に、より低消費、熱の発生の防止などが得られる。
【００７６】
更に、光変調素子としてＤＭＤ（商標）１３を使用することで、表示装置の小型化が可能となる。
【００７７】
以下、前記のようなＤＭＤ（商標）１３のミラーへの入射ＮＡがＸ方向とＹ方向とで異なる表示装置における前記照明装置１１の各種構成例、即ち、各種ＮＡ変換可能な光学素子の第１の方向と第２の方向で異なった最大配光角を得る光学素子としての光源、導光手段、照明光学系の各種の構成を、図１の（Ｅ）乃至図７を参照して説明する。
【００７８】
その際、照明装置１１とＤＭＤ（商標）１３の配置関係を、図１の（Ａ）より簡略化して説明するために、図１の（Ｂ）で示したような照明装置１１の照明光を直接ＤＭＤ（商標）１３の法線方向から入射するようにした表示装置に適用するものとして説明する。勿論、本発明は、図１の（Ｂ）で示した構成に限定されるものではない。
【００７９】
なお、投影光学系の配置や光軸などは、本発明の本質に関わらないので、詳細の説明を省略する。また、ＤＭＤ（商標）１３のミラーのオン状態とオフ状態の絶対角度に関しては、表示装置における投影光学系の構成や位置、向きなどに関わるものであるが、本発明の本質に関わらないので、詳細の説明を省略する。
【００８０】
［構成例１］
図１の（Ｅ）乃至（Ｆ）はその第１の構成例を示す図である。この照明装置１１は、ランプ１５、楕円リフレクタ１６、ライトパイプ１７、及び円形の照明レンズ１８から構成される。
【００８１】
この場合、楕円リフレクタ１６は、図１の（Ｅ）に示すように、その出射面に遮光マスク１６Ａが設けられ、出射ＮＡが第１の方向より第２の方向の方が狭くなるように構成されたＮＡ変換可能な光学素子（異方性光学素子）である。そして、このような楕円リフレクタ１６の出射面から出射した光束が、ＤＭＤ（商標）１３のミラーに入射する際に、Ｘ方向に第２の方向、Ｙ方向に第１の方向となるように、該楕円リフレクタ１６は配置されている。
【００８２】
このような楕円リフレクタ１６からの出射光が入射されるライトパイプ１７は、断面形状が長手方向のどの位置でも同一の中空パイプであり、入射光を、その入射ＮＡを維持して、その出射面から出射する。
【００８３】
照明レンズ１８は、前記ＤＭＤ（商標）１３を前記ライトパイプ１７の出射光により照明する照明光学系である。この場合、前記ＤＭＤ（商標）１３と結像関係にある位置近傍に前記ライトパイプ１７の出射面を配置したクリティカル照明光学方式である。
【００８４】
なお、クリティカル照明系において、ＤＭＤ（商標）１３のＹ方向は、ＤＭＤ（商標）１３と結像関係にある位置から出射する光のＮＡが大きい方向である。
【００８５】
従って、図１の（Ｆ）及び（Ｇ）に示すように、照明レンズ１８を介してＤＭＤ（商標）１３を照明する照明光は、結果的に、ＤＭＤ（商標）１３のミラーへのＸ方向の入射ＮＡ（θｘ）とＹ方向の入射ＮＡ（θｙ）がθｘ＜θｙを満たす照明光となる。
【００８６】
このように、この第１の構成例によれば、ＮＡ変換可能な光学素子である楕円リフレクタ１６によって第１の方向と第２の方向で異なったＮＡで出射された光を、光変調素子であるＤＭＤ（商標）１３にＮＡを異ならせて入射することができる。
【００８７】
また、ＮＡ変換可能な光学素子として楕円リフレクタ１６を用いているので、簡単な構成で明るい表示が得られる。しかも、この楕円リフレクタ１６は、第１の方向より第２の方向で出射断面が小さい遮光マスク１６Ａにより構成しているので、簡単に得ることができる。
【００８８】
なお、ＮＡ変換可能な光学素子としては、楕円リフレクタ１６の出射面に遮光マスク１６Ａを構成することで形成するのに限らず、楕円面を黒く塗ったり、削るなど、どのような手段で構成しても、所望の出射光が得られるのであれば構わない。
【００８９】
更には、例えば、特開平８−２８６２７４号公報に開示されているような二軸回転楕円面鏡を使用することも可能である。
【００９０】
また、ライトパイプ１７の代わりに、ガラスなどによって中密に構成され、側面で全反射をする平行ロッドを用いても良いことは勿論である。
【００９１】
［構成例２］
次に、図２の（Ａ）乃至（Ｃ）を参照して、照明装置１１の第２の構成例を説明する。
【００９２】
この照明装置１１は、ランプ１５、放物面リフレクタ１９、フライアイレンズ２０、及び円形の照明レンズ１８から構成される。
【００９３】
この場合、フライアイレンズ２０は、図２の（Ａ）に示すように正方形の微小レンズであるマイクロレンズ２０Ａを２次元マトリックス状に配列して構成されるものであり、本構成例では、第１の方向より第２の方向の方がマイクロレンズ２０Ａの個数が少ないものとすることで、ＮＡ変換可能な光学素子（異方性光学素子）として機能する。そして、このようなフライアイレンズ２０が２枚、図２の（Ｂ）及び（Ｃ）に示すように、第２の方向より第１の方向でその出射光の主光軸に対して距離の離れた位置にマイクロレンズ２０Ａを備えるように配置されている。即ち、それぞれ第１の方向より第２の方向の方が少ない個数のマイクロレンズ２０Ａを配した第１及び第２のフライアイレンズ２０−１，２０−２を介して出射した光束が、照明レンズ１８を介してＤＭＤ（商標）１３のミラーに入射する際に、Ｘ方向に第２の方向、Ｙ方向に第１の方向となるようにフライアイレンズ群を配置している。
【００９４】
またこの場合、照明レンズ１８は、所謂ケーラー照明光学系を構成するように、第２のフライアイレンズ２０−２とＤＭＤ（商標）１３の両方が焦点距離ｆとなるように配置されている。
【００９５】
従って、この第２の構成例も、図２の（Ｂ）及び（Ｃ）に示すように、照明レンズ１８を介してＤＭＤ（商標）１３を照明する照明光は、結果的に、ＤＭＤ（商標）１３のミラーへのＸ方向の入射ＮＡ（θｘ）とＹ方向の入射ＮＡ（θｙ）がθｘ＜θｙを満たす照明光となる。
【００９６】
このように、この第２の構成例によれば、ＮＡ変換可能な光学素子であるフライアイレンズ２０によって第１の方向と第２の方向で異なった位置で出射された光をケーラー照明光学系により光変調素子にＮＡを異ならせて入射することができる。
【００９７】
また、フライアイレンズ２０により、簡単な構成で明るい表示が得られる。
【００９８】
なお、フライアイレンズ２０は、図示のように２枚に限らず１枚のみ使用するものであっても良い。
【００９９】
［構成例３］
次に、図３の（Ａ）乃至（Ｃ）を参照して、照明装置１１の第３の構成例を説明する。
【０１００】
この照明装置１１は、ＬＥＤ２１、異方性のテーパパイプ２２、及び円形の照明レンズ１８から構成される。
【０１０１】
この場合、光源としてのＬＥＤ２１は、ＤＭＤ（商標）１３の入射光の主光軸方向であるＺ方向に対する垂直面に均一な配光特性を持つ、即ち、第１の方向と第２の方向とで同じ配光特性を有するものである。
【０１０２】
また、テーパパイプ２２は、図３の（Ａ）に示すように、第１の方向より第２の方向の方がＮＡ変換能力の大きい、入射端と出射端の長さの比が第１の方向より第２の方向の方が大きい（Ｔｏｘ／Ｔｉｘ＞Ｔｏｙ／Ｔｉｙ）ＮＡ変換可能な光学素子（異方性光学素子）である。
【０１０３】
そして、この第３の構成例では、該テーパパイプ２２を介して出射した光束が円形の照明レンズを介してＤＭＤ（商標）１３のミラーに入射する際に、Ｘ方向に第２の方向、Ｙ方向に第１の方向となるように、このようなテーパパイプ２２を配置している。即ち、このようなテーパパイプ２２では、配光特性が第１の方向と第２の方向とで同じ配光特性を有するＬＥＤ２１からの光を入射し、出射する光は、Ｓｙ＞ＳｘとなるようにＹ方向にＮＡを大きくした出射光を得る。
【０１０４】
従って、そのテーパパイプ２２の出射光をクリティカル照明系で構成した照明レンズ１８によりＤＭＤ（商標）１３に集光する際、ＤＭＤ（商標）１３のミラーへのＸ方向の入射ＮＡ（θｘ）とＹ方向の入射ＮＡ（θｙ）はθｙ＞θｘを満たす照明光となる。
【０１０５】
なお、クリティカル照明系において、ＤＭＤ（商標）１３のＹ方向は、ＤＭＤ（商標）１３と結像関係にある位置から出射する光のＮＡが大きい方向である。
【０１０６】
このように、この第３の構成例によれば、ＮＡ変換可能な光学素子であるテーパパイプ２２によって第１の方向と第２の方向で異なったＮＡで出射された光を光変調素子であるＤＭＤ（商標）１３にＮＡを異ならせて入射することができる。
【０１０７】
また、ＮＡ変換可能な光学素子としてテーパパイプ２２を使用することにより、簡単な構成で明るい表示が得られる。
【０１０８】
なお、ＮＡ変換可能な光学素子としてテーパパイプ２２の代わりに、ガラスなどによって中密に構成され、側面で全反射をするテーパロッドのような他のテーパ光学素子を用いても良いことは勿論である。
【０１０９】
［構成例４］
次に、図４の（Ａ）乃至（Ｃ）を参照して、照明装置１１の第４の構成例を説明する。
【０１１０】
この照明装置１１は、前記第３の構成例と同様に、ＬＥＤ２１、異方性のテーパパイプ２２、及び円形の照明レンズ１８から構成されるものであるが、照明レンズ１８の焦点距離ｆの位置にＤＭＤ（商標）１３のミラーを配置したケーラー照明系とした場合の例である。
【０１１１】
この場合、テーパパイプ２２は、出射端の長さが第１の方向より第２の方向で短いＮＡ変換可能な光学素子（異方性光学素子）であり、配光特性が第１の方向と第２の方向とで同じ配光特性を有するＬＥＤ２１からの光を入射し、出射する光は、Ｓｙ＝ＳｘとなるようなＸ，Ｙ方向何れも同じＮＡの出射光を得る。しかし、前述の第３の構成例と異なる点は、ケーラー照明光学系に対して、テーパパイプ２２のＴｏｘ＜Ｔｏｙを満たす際のＴｏｙ方向を第１の方向として、その第１の方向をＤＭＤ（商標）１３に対するＹ方向に合わせて配置するようにしたものである。
【０１１２】
なお、ケーラー照明系において、ＤＭＤ（商標）１３のＹ方向は、ＤＭＤ（商標）１３と反対側の焦点位置近傍におけるテーパパイプ２２の光軸に対する距離が離れた出射位置を有した方向、或いは、出射サイズが大きい方向である。
【０１１３】
その結果、ＤＭＤ（商標）１３のミラーへのＸ方向の入射ＮＡ（θｘ）とＹ方向の入射ＮＡ（θｙ）はθｘ＜θｙを満たす照明光となる。
【０１１４】
このように、この第４の構成例によれば、ＮＡ変換可能な光学素子であるテーパパイプ２２によって第１の方向と第２の方向で異なったＮＡで出射された光を光変調素子であるＤＭＤ（商標）１３にＮＡを異ならせて入射することができる。
【０１１５】
また、ＮＡ変換可能な光学素子としてテーパパイプ２２を使用することにより、簡単な構成で明るい表示が得られる。
【０１１６】
なお、ＮＡ変換可能な光学素子としてテーパパイプ２２の代わりに、ガラスなどによって中密に構成され、側面で全反射をするテーパロッドのような他のテーパ光学素子を用いても良いことは勿論である。
【０１１７】
［構成例５］
次に、図５の（Ａ）乃至（Ｃ）を参照して、照明装置１１の第５の構成例を説明する。
【０１１８】
この照明装置１１は、レンズ付ＬＥＤ２３、テーパロッド２４、及び円形の照明レンズ１８から構成される。
【０１１９】
レンズ付ＬＥＤ２３は、図５の（Ａ）に示すように、拡散光を発光するＬＥＤ２３Ａと、半円柱形状に形成された異方形状レンズ２３Ｂとから構成されたＮＡ変換可能な光学素子（異方性光学素子）である。このレンズ付ＬＥＤ２３は、例えば特開２００１−１７７１５６号公報に開示されており、主光軸に垂直な第１の方向（円柱の軸方向）に対して前記主光軸と該第１の方向との両方に垂直で、且つ、第１の方向より最大配光角が小さい第２の方向を有する光源である。即ち、異方形状レンズ２３Ｂは、第１の方向でパワーを持たなく第２の方向にパワーを持ったレンズである。
【０１２０】
なお、この第５の構成例は、このようなレンズ付ＬＥＤ２３に密接して配置したテーパロッド２４と照明レンズ１８によって、光変調素子としてのＤＭＤ（商標）１３を照明するものであるが、この場合、テーパロッド２４は、入射端と出射端が共に正方形で、入射端より大きな面積を有する出射端であって、ガラスで中密状態にして空気との屈折率の違いによる全反射によって側面で反射するものであり、照明レンズ１８は、テーパロッド２４の出射端面をＤＭＤ（商標）面に結像するように構成したレンズである。
【０１２１】
そして、図５の（Ｂ）及び（Ｃ）に示すように、前記レンズ付ＬＥＤ２３を、第１の方向がＤＭＤ（商標）１３のミラーのＹ方向、第２の方向がＸ方向になるように向きを合わせて配置している。
【０１２２】
このような第５の構成例においても、ＮＡ変換可能な光学素子である異方形状レンズ付ＬＥＤ２３によって第１の方向と第２の方向で異なったＮＡで出射された光をクリティカル照明光学系により光変調素子としてのＤＭＤ（商標）１３にＮＡを異ならせて入射することができる。
【０１２３】
また、異方形状レンズ付ＬＥＤを使用することで、簡単な構成で明るい表示が得られる。
【０１２４】
［構成例６］
次に、図６の（Ａ）乃至（Ｃ）を参照して、照明装置１１の第６の構成例を説明する。
【０１２５】
この照明装置１１は、ランプ１５と放物面リフレクタ１９によってライトパイプ１７の入射端に光源像を形成し、ライトパイプ１７に入射した光の一部がライトパイプ１７の側面で反射しライトパイプ１７の出射端で均一化し、その出射端からの光が楕円形状照明レンズ２５によりＤＭＤ（商標）面に結像するように構成したものである。
【０１２６】
この場合、楕円形状照明レンズ２５は、第１の方向より第２の方向の方が出射ＮＡが狭いものとなるように、図６の（Ａ）に示すよう円形状のレンズを削って第１の方向のサイズより第２の方向のサイズの方が小さい楕円形状にしたＮＡ変換可能な光学素子（異方性光学素子）である。そして、図６の（Ｂ）及び（Ｃ）に示すように、このような第１の方向より第２の方向の方が出射ＮＡが狭い楕円形状照明レンズ２５を介してＤＭＤ（商標）１３のミラーに入射する際に、Ｘ方向に第２の方向、Ｙ方向に第１の方向となるように、該楕円形状照明レンズ２５を配置しているものである。
【０１２７】
このように、ＮＡ変換可能な光学素子として楕円形状照明レンズ２５を使用することで、簡単な構成で明るい表示が得られる。
【０１２８】
なお、照明レンズの形状がＸ，Ｙとで異方性を有するような例で説明したが、それに限定をするものではない。
【０１２９】
絞りがＸ方向とＹ方向で異なった開口であっても良い。例えば、レンズは、異方性ではなく円形や四角形であったとして、レンズ近傍にある遮光マスクがＸ，Ｙとで異方性を有していても良い。
【０１３０】
また、拡散する光を入射して集光するレンズに限定するものではなく、偏心、球面、及び放物面の何れかを含むパワーを持った反射鏡であっても良い。
【０１３１】
更に、ライトパイプ１７とＤＭＤ（商標）１３の間の光路に、ＮＡ軽減のためのコリメータレンズや反射ミラーなどを含んでいても良い。
【０１３２】
また、ライトパイプ１７の代わりに平行ロッドであっても良いことは勿論である。
【０１３３】
［構成例７］
次に、図７の（Ａ）及び（Ｂ）を参照して、照明装置１１の第７の構成例を説明する。
【０１３４】
この照明装置１１は、２個のランプ１５、２個の放物面リフレクタ１９、テーパロッド２４、及び円形の照明レンズ１８から構成されるものである。
【０１３５】
この場合、テーパロッド２４は、入射端と出射端が共に正方形で、入射端より大きな面積を有する出射端であって、ガラスで中密状態にして空気との屈折率の違いによる全反射によって側面で反射するものであり、照明レンズ１８は、テーパロッド２４の出射端面をＤＭＤ（商標）面に結像するように構成したレンズである。
【０１３６】
そして、ランプ１５及び放物面リフレクタ１９を第２の方向よりも第１の方向に多数配置するものとし、第１の方向がＤＭＤ（商標）１３のミラーのＹ方向、第２の方向がＸ方向になるように向きを合わせて配置している。
【０１３７】
このような第７の構成例によれば、第２の方向より第１の方向に多数の発光体を配置することで、更に、明るい表示を得ることができる。
【０１３８】
なお、発光体は、２個に限定するものではなく、第１の方向と第２の方向でＮＡが異なっていれば、発光体数を限定するものではない。
【０１３９】
また、ランプ１５と放物面リフレクタ１９との組み合わせに限定するものではなく、ＬＥＤや蛍光体などからの発光源とレンズとの組み合わせであっても良い。
【０１４０】
以上、照明装置１１の各種構成例を説明したが、それらに限定するものではないことは勿論である。
【０１４１】
例えば、ＬＥＤ基板などの工夫によりＬＥＤから出射される光の配光特性が異方性を有するようにしても良い。
【０１４２】
［第２の実施の形態］
次に、本発明の第２の実施の形態を説明する。
前述の第１の実施の形態では、照明装置のＮＡ変換可能な光学素子の各種例を示して説明したが、この第２の実施の形態では、そのＮＡ変換可能な光学素子を使用した照明装置を備えた表示装置の別の構成について説明する。
【０１４３】
前述したように、表示装置の光変調素子として使用されるミラーデバイスであるＤＭＤ（商標）は、図８の（Ａ）に示すように、微小ミラー２６Ａを複数マトリクス状に配置してなり、各微小ミラー２６Ａを回動させることで、入射光をオン光とオフ光に分離することができるものである。このようなミラーデバイスとして、特開平１０−３１９３３０号公報には、図８の（Ｂ）に示すように、各微小ミラー２６Ａを、その対角を回動軸Ｏとして回動することで、微小ミラー２６Ａの配列方向の一方に対して４５°方向に偏向するようにしたＤＭＤ（商標）２６が開示されている。
【０１４４】
そこで、本第２の実施の形態では、微小ミラー２６Ａが、マトリックス状に長方形のエリア変調面を形成する場合であって、微小ミラー２６Ａの偏向方向が長方形の各辺の方向と異なるＤＭＤ（商標）２６を使用することで、投影光学系を小型化、軽量化し、携帯性の優れた表示装置を提供しようとするものである。
【０１４５】
図９の（Ａ）は、本実施の形態に係る表示装置の光学構成を示す図であり、例えば前述した第３の構成例のような照明装置１１からの照明光を、ＴＩＲプリズム１２を介して、光変調素子としてのＤＭＤ（商標）２６に照明するようにしたものである。即ち、この表示装置では、ＴＩＲプリズム１２を使って照明光と、ＤＭＤ（商標）２６からのオン光・オフ光とを分離した例であり、オン光を投影光学系１４によって不図示のスクリーンに投影するようになっている。
【０１４６】
図９の（Ｂ）は、図９の（Ａ）のＤＭＤ（商標）２６の法線方向でオン光の出射側から見た図であり、入射光、オン光、オフ光の光路、並びに、前述の第１の実施の形態における投影光学系１４のレンズ１４Ａの形状を示している。
【０１４７】
本発明の前記照明装置１１は、従来の照明装置と比較してＹ方向に大きなＮＡを有した光束をＤＭＤ（商標）２６より反射することになり、その分、大きな径の投影光学系１４にすることが望ましい。そこで、図９の（Ｃ）に示すように、その形状を楕円形状にした投影光学レンズ１４Ｂとする。
【０１４８】
なお、図９の（Ｂ）及び（Ｃ）では、投影光学レンズ１４Ａ，１４Ｂを透過するオン光のＮＡを表現すべく、最大角度の光線が投影光学レンズ１４Ａ，１４Ｂに入射する光束形状を示している。
【０１４９】
即ち、本第２の実施の形態に係る表示装置は、投影光学系１４として入射光が通らない部分を削って、小型化、軽量化するようにしたものである。
【０１５０】
また、投影光学系１４Ｂは、オフ光が入射しないようにする必要があるが、楕円形状にすることで、ＤＭＤに近づけた配置にすることができ、更に小型化することができる。
【０１５１】
なお、図９の（Ｃ）で示したＤＭＤ（商標）２６が出射した光束は、画像と投影光束の楕円方向とが４５°傾いており、その光束を折り返しミラーなどにより折り返しをしたとしても、その関係は変わらない。
【０１５２】
図１０の（Ａ）は、本実施の形態に係る表示装置の筐体２７と前記投影光学レンズ１４Ｂの関係を示す図であり、（Ｂ）は、図９の（Ｃ）で示した投影光学レンズ１４Ｂを搭載した表示装置と投影光学レンズ１４Ｂとの関係を示す図である。
【０１５３】
即ち、前記折り返しミラーなどで折り返ししない場合で、ＤＭＤ（商標）２６に対する微小ミラー２６Ａの偏向方向が画像の長方形の長短方向の角度と一致しない場合に、ＤＭＤ（商標）２６から出射する光の最大光線角度は、該画像に対して前記角度分傾いた楕円形状の光束となり、それに伴って投影光学レンズ１４Ｂも円形のレンズを斜め方向に削って楕円となる形状としたものである。表示装置筐体２７とＤＭＤ（商標）２６のミラー配列方向とを一致させた場合、表示装置筐体２７と前記投影光学レンズ１４Ｂとが図１０の（Ｂ）のようになる。そのため、表示装置筐体２７を小型化しようとすると、投影光学レンズ１４Ｂがその楕円長辺側が筐体２７からはみ出る場合が生じる。
【０１５４】
そこで、小型化した表示装置を持ち運ぶなどする際に、前記はみ出る部分が邪魔にならないように、図１０の（Ｃ）で示すように、携帯時や収納時には、前記投影光学レンズ１４Ｂを回転させ、はみ出さないようにする。
【０１５５】
或いは、投影光学レンズ１４Ｂを、筐体２７に対し着脱可能にしても良い。
【０１５６】
これにより、装置を小型化したとしても、携帯時や保管時に持ち運び易くすることができる。
【０１５７】
また、表示装置筐体２７とＤＭＤ（商標）２６のミラー配列方向とを４５°回転させ、図１０の（Ｄ）に示すように配置した場合には、図１０の（Ｅ）に示すように、表示装置筐体２７に対し前記投影光学レンズ１４Ｂの長手方向が平行となるように、筐体２７に投影光学レンズ１４Ｂを取り付けることができる。そして、この場合には、筐体２７に対しひんじとロック機構とを備えた載置用足部材２８を取り付けておく。
【０１５８】
而して、このような構成とすることにより、投影時には、図１０の（Ｆ）に示すように、４５°傾けた姿勢に保持することで正しい投影像が投影されるようにし、また、携帯時には、図１０の（Ｅ）に示すように、ロック機構を解除して足部材を折り畳むことで、携帯し易くすることができる。
【０１５９】
以上実施の形態に基づいて本発明を説明したが、本発明は上述した実施の形態に限定されるものではなく、本発明の要旨の範囲内で種々の変形や応用が可能なことは勿論である。
【０１６０】
本発明は、光変調デバイスとしては、ミラーを偏向して変調するミラーデバイスに限定するものではない。
【０１６１】
例えば、ホログラムを利用した液晶ライトバルブや異方性のプリズムを含んだ変調素子などにも適用でき、同様の効果を得ることができる。特開２０００−２３５１７９号公報に開示された液晶ライトバルブや、特開２０００−２９２７５８号公報に開示されたような全反射特性と屈折率との関係を利用した表面プラズモン変調素子を利用することができる。
【０１６２】
【発明の効果】
以上詳述したように、本発明によれば、投影に関わる照明光量が制限され、明るい投影表示ができないという課題を解決し、より明るい投影像を得ることができる照明装置、及び、その照明装置を搭載した表示装置を提供することができる。
【図面の簡単な説明】
【図１】（Ａ）及び（Ｂ）はそれぞれ本発明の第１の実施の形態に係る照明装置を使用した表示装置の構成例を示す図、（Ｃ）は楕円照明光を説明するための図、（Ｄ）は長方形照明光を説明するための図、（Ｅ）は第１の実施の形態に係る照明装置の第１の構成例に使用する長方形状マスクを備えた楕円リフレクタを示す図、（Ｆ）は照明装置の第１の構成例をＹ方向から見た図であり、（Ｇ）は同じくＸ方向から見た図である。
【図２】（Ａ）は第１の実施の形態に係る照明装置の第２の構成例に使用するＸ，Ｙ方向でマイクロレンズの数が異なるフライアイレンズの構成図、（Ｂ）は照明装置の第２の構成例をＹ方向から見た図であり、（Ｃ）は同じくＸ方向から見た図である。
【図３】（Ａ）乃至（Ｃ）はそれぞれ第１の実施の形態に係る照明装置の第３の構成例の立体図、Ｙ方向から見た図、及びＸ方向から見た図である。
【図４】（Ａ）乃至（Ｃ）はそれぞれ第１の実施の形態に係る照明装置の第４の構成例の立体図、Ｙ方向から見た図、及びＸ方向から見た図である。
【図５】（Ａ）は第１の実施の形態に係る照明装置の第５の構成例に使用するレンズ付ＬＥＤの立体図、（Ｂ）は照明装置の第５の構成例をＹ方向から見た図であり、（Ｃ）は同じくＸ方向から見た図である。
【図６】（Ａ）は第１の実施の形態に係る照明装置の第６の構成例に使用する楕円形状照明レンズを示す図、（Ｂ）は照明装置の第６の構成例をＹ方向から見た図であり、（Ｃ）は同じくＸ方向から見た図である。
【図７】（Ａ）及び（Ｂ）は第１の実施の形態に係る照明装置の第７の構成例をＹ方向及びＸ方向から見た図である。
【図８】（Ａ）は本発明の第２の実施の形態に係る表示装置に使用される微小ミラーを複数マトリクス状に配置したＤＭＤ（商標）を示す図であり、（Ｂ）はその微小ミラーの回動軸を説明するための図である。
【図９】（Ａ）は第２の実施の形態に係る表示装置の構成例を示す図、（Ｂ）は（Ａ）のＤＭＤ（商標）の法線方向でオン光の出射側から見た図であり、（Ｃ）は楕円形状の投影光学レンズを用いた場合のＤＭＤ（商標）の法線方向でオン光の出射側から見た図である。
【図１０】（Ａ）は第２の実施の形態に係る表示装置の筐体と投影光学レンズの関係を示す図、（Ｂ）及び（Ｃ）はその場合の表示装置筐体と投影光学レンズとの関係を説明するための投影時及び携帯時の筐体外観を示す図、（Ｄ）は表示装置筐体とＤＭＤ（商標）のミラー配列方向とを４５°回転させて配置した場合の表示装置筐体と投影光学レンズの関係を示す図であり、（Ｅ）及び（Ｆ）はその場合の表示装置筐体と投影光学レンズとの関係を説明するための携帯時及び投影時の筐体外観を示す図である。
【図１１】（Ａ）は従来の表示装置の構成図、（Ｂ）はミラー近傍に入射する光の拡大図、（Ｃ）は従来の表示装置の別の構成図、（Ｄ）はオン光とオフ光の分離を説明するため（Ｂ）をＹ方向から見た図であり、（Ｅ）はＺ方向から見た図である。
【符号の説明】
１１…照明装置、１２…プリズム、１３，２６…ＤＭＤ（商標）、１４…投影光学系、１４Ａ，１４Ｂ…投影光学レンズ、１５…ランプ、１６…楕円リフレクタ、１６Ａ…遮光マスク、１７…ライトパイプ、１８…照明レンズ、１９…放物面リフレクタ、２０，２０−１，２０−２…フライアイレンズ、２０Ａ…マイクロレンズ、２１，２３Ａ…ＬＥＤ、２２…テーパパイプ、２３…異方形状レンズ付ＬＥＤ、２３Ｂ…異方形状レンズ、２４…テーパロッド、２５…楕円形状照明レンズ、２６Ａ…微小ミラー、２７…表示装置の筐体、２８…載置用足部材。
【図１】
2004252205.tif 000003
【図２】
2004252205.tif 000004
【図３】
2004252205.tif 000005
【図４】
2004252205.tif 000006
【図５】
2004252205.tif 000007
【図６】
2004252205.tif 000008
【図７】
2004252205.tif 000009
【図８】
2004252205.tif 000010
【図９】
2004252205.tif 000011
【図１０】
2004252205.tif 000012
【図１１】
2004252205.tif 000013